(57)【要約】【課題】画像の筋を目立たなくしつつ、メモリの消費を抑制する。【解決手段】複数の発光素子Ｐを有する発光チップＣＨを主走査方向に並べて配置した発光アレイ４１を用いて形成され、画像の階調を表すディザパターンＺの設定方法であって、前記発光チップＣＨの端部に対応する画素の周辺画素に対する濃度差の発生しや易さを表すパラメータである角度の差が小さくなるように、同一色に使用される２つのディザパターンの角度を設定する。【選択図】図９
2014028458.tif 000002
【特許請求の範囲】
【請求項１】
複数の発光素子を有する発光チップを主走査方向に並べて配置した発光アレイを露光装置として備え、前記発光アレイにより露光される感光体に形成される静電潜像を用いて被記録媒体に画像を形成する画像形成部と、
前記画像の階調を表すディザパターンであって、前記画像形成部によって画像が形成される時に使用されるディザパターンが複数格納されるメモリと、
制御部と、を備え、
前記制御部は、
前記発光チップの端部に対応する画素の周辺画素に対する濃度差の発生しや易さを表すパラメータの値が第１値である第１ディザパターンを構成する画素のうち、前記発光チップの端部に対応する画素の濃度が周辺画素の濃度に近づくように、前記第１値に応じて、前記端部に位置する前記発光素子の光量を補正するため第１補正値を算出する第１算出処理と、
前記発光チップの端部に対応する画素の周辺画素に対する濃度差の発生しや易さを表すパラメータの値が第２値であり、かつ前記第１ディザパターンと同一色に使用される第２ディザパターンを構成する画素のうち、前記発光チップの端部に対応する画素の濃度が周辺画素の濃度に近づくように、前記第２値に応じて、前記端部に位置する前記発光素子の光量を補正するため第２補正値を算出する第２算出処理と、
前記第１算出処理にて算出された前記第１補正値と、前記第２算出処理にて算出された第２補正値とに基づいて、共通補正値を算出する共通補正値算出処理と、
前記共通補正値算出処理にて算出された前記共通補正値を前記メモリに格納する格納処理と、
前記第１ディザパターンを使用して画像を形成する第１画像形成モード、前記第２ディザパターンを使用して画像を形成する第２画像形成モードの双方の画像形成モードで、前記格納処理にて前記メモリに格納された前記共通補正値を用いて、前記端部に位置する前記発光素子の光量を補正する補正処理と、を行う画像形成装置。
【請求項２】
前記パラメータは、前記ディザパターンを構成する線分の主走査方向に関する角度である請求項１に記載の画像形成装置。
【請求項３】
前記パラメータは、前記発光チップの端部に位置する２つの発光素子間距離の変化に対する、前記ディザパターン間に存在する空白部の面積変動比である請求項１に記載の画像形成装置。
【請求項４】
複数の発光素子を有する発光チップを主走査方向に並べて配置した発光アレイを用いて形成され、画像の階調を表すディザパターンの設定方法であって、
前記発光チップの端部に対応する画素の周辺画素に対する濃度差の発生しや易さを表すパラメータの値の差が小さくなるように、同一色に使用される２つのディザパターンのパラメータの値を設定するディザパターンの設定方法。
【請求項５】
前記パラメータは、前記ディザパターンを構成する線分の主走査方向に関する角度であり、
前記主走査方向に関する角度差が小さくなるように、同一色に使用される２つのディザパターンの線分の角度を設定する請求項４に記載のディザパターンの設定方法。
【請求項６】
前記パラメータは、前記発光チップの端部に位置する２つの発光素子間距離の変化に対する、前記ディザパターン間に存在する空白部の面積変動比であり、
前記面積変動比が小さくなるように、同一色に使用される２つのディザパターンの線分の角度と線間距離を設定する請求項４に記載のディザパターンの設定方法。
【発明の詳細な説明】
【技術分野】
【０００１】
本発明は、画像の筋を目立たなくする技術に関する。
【背景技術】
【０００２】
下記特許文献１には、ＬＥＤチップ間の距離に応じて、境界部における発光素子の光量を補正することで、白筋を目立たなくさせる技術が開示されている。下記特許文献２には、画像の階調を、斜め線の繰り返しパターンからなるディザパターンにより表すようにした技術が提案されている。
【先行技術文献】
【特許文献】
【０００３】
【特許文献１】特開２００１−０８０１１１公報
【特許文献２】特開２００４−３６４０８４公報
【発明の概要】
【発明が解決しようとする課題】
【０００４】
画品質を高めるには、白筋や色筋を極力目立たなくすることが好ましい。ディザパターンを用いて画像を形成する際、ディザパターンの角度に着目したり、ディザパターン間に存在する空白部の面積変動比、詳しくは素子間距離の変化に対する面積変動比に着目したりして、チップ端に位置する発光素子の光量を補正することで、チップ端に対応する箇所の画素の濃度を、周辺部の画素の濃度に近づけることが出来、画像の筋を更に目立たなく出来る可能性がある。画像形成装置は、高速に画像形成を行うための高速画像形成モードや、高画質の画像形成を行うための高画質画像形成モード等、複数の画像形成モードを有することが主流であり、複数の画像形成モード毎に適したディザパターンが用意されることが多い。上記のように、ディザパターンの角度や面積変動比に着目してチップ端に位置する発光素子の光量を補正する場合、用意されたディザパターン毎に補正値が決定するが、ディザパターン毎の補正値の違いがさほど画質に影響しない場合であっても補正値をそれぞれ持つとなると、画像形成装置のメモリを浪費する虞があった。
本発明は上記のような事情に基づいて完成されたものであって、画像の筋を目立たなくしつつ、メモリの消費を抑制することを目的とする。
【課題を解決するための手段】
【０００５】
本明細書によって開示される画像形成装置は、複数の発光素子を有する発光チップを主走査方向に並べて配置した発光アレイを露光装置として備え、前記発光アレイにより露光される感光体に形成される静電潜像を用いて被記録媒体に画像を形成する画像形成部と、前記画像の階調を表すディザパターンであって、前記画像形成部によって画像が形成される時に使用されるディザパターンが複数格納されるメモリと、制御部と、を備え、前記制御部は、前記発光チップの端部に対応する画素の周辺画素に対する濃度差の発生しや易さを表すパラメータの値が第１値である第１ディザパターンを構成する画素のうち、前記発光チップの端部に対応する画素の濃度が周辺画素の濃度に近づくように、前記第１値に応じて、前記端部に位置する前記発光素子の光量を補正するため第１補正値を算出する第１算出処理と、前記発光チップの端部に対応する画素の周辺画素に対する濃度差の発生しや易さを表すパラメータの値が第２値であり、かつ前記第１ディザパターンと同一色に使用される第２ディザパターンを構成する画素のうち、前記発光チップの端部に対応する画素の濃度が周辺画素の濃度に近づくように、前記第２値に応じて、前記端部に位置する前記発光素子の光量を補正するため第２補正値を算出する第２算出処理と、前記第１算出処理にて算出された前記第１補正値と、前記第２算出処理にて算出された第２補正値とに基づいて、共通補正値を算出する共通補正値算出処理と、前記共通補正値算出処理にて算出された前記共通補正値を前記メモリに格納する格納処理と、
前記第１ディザパターンを使用して画像を形成する第１画像形成モード、前記第２ディザパターンを使用して画像を形成する第２画像形成モードの双方の画像形成モードで、前記格納処理にて前記メモリに格納された前記共通補正値を用いて、前記端部に位置する前記発光素子の光量を補正する補正処理と、を行う。このようにすれば、用意されたディザパターン毎に異なる補正値を使用する場合に比べて、メモリに記憶する補正値を減らすことが出来る。そのため、メモリの消費を抑制することが出来る。また、異なるディザパターンを使用する毎に、補正値を変更する必要がないため、動作速度を高速にできる。
【０００６】
本明細書によって開示されるディザパターンの設定方法は、複数の発光素子を有する発光チップを主走査方向に並べて配置した発光アレイを用いて形成され、画像の階調を表すディザパターンの設定方法であって、前記発光チップの端部に対応する画素の周辺画素に対する濃度差の発生しや易さを表すパラメータの値の差が小さくなるように、同一色に使用される２つのディザパターンのパラメータの値を設定する。このようにすれば、２つのディザパターンで発光チップの端部における画素の濃度差が小さくなる。
【０００７】
また、本明細書に開示される画像形成装置又はディザパターンの設定方法では、以下がこの好ましい。
・前記パラメータを、前記ディザパターンを構成する線分の主走査方向に関する角度とする。角度であれば、濃度差の発生し易さを簡易的に把握するのに好適である。
【０００８】
・前記パラメータを前記発光チップの端部に位置する２つの発光素子間距離の変化に対する、前記ディザパターン間に存在する空白部の面積変動比とする。面積変動比であれば、濃度差の発生し易さを正確に把握するのに好適である。
【発明の効果】
【０００９】
本発明によれば、画像の筋を目立たなくしつつ、メモリの消費を抑制することが出来る。
【図面の簡単な説明】
【００１０】
【図１】実施形態１に係るカラープリンタの要部側断面図
【図２】ＬＥＤユニットおよびプロセスカートリッジの拡大図
【図３】ＬＥＤユニットを露光面側から見た図
【図４】光量調整部及び制御装置のブロック図
【図５】ディザパターンを示す図（白筋が発生した状態と、光量補正により白筋が消滅した状態を示す）
【図６】白筋の発生個所を拡大した図（ディザパターンの角度が大きい場合）
【図７】白筋の発生箇所を拡大した図（ディザパターンの角度が小さい場合）
【図８Ａ】ディザパターン間の角度差の計り方を説明する図
【図８Ｂ】ディザパターン間の角度差の計り方を説明する図
【図９】ディザパターンの組み合わせを示す図
【図１０】発光時間を補正する処理の流れを示すフローチャート図
【図１１】実際形態２に係るディザパターンの拡大図（線間距離小の場合を示す）
【図１２】ディザパターンの拡大図（線間距離大の場合を示す）
【図１３】ディザパターンの拡大図（角度小の場合を示す）
【図１４】ディザパターンの拡大図（角度大の場合を示す）
【発明を実施するための形態】
【００１１】
＜実施形態１＞
実施形態１について図１から図１０を参照しつつ説明する。
１．カラープリンタの全体構成
図１に示すように、電子写真方式のカラープリンタ１は、本体筐体１０内に、用紙（本発明の「被記録媒体」の一例）Ｓを供給する給紙部２０と、給紙された用紙Ｓに画像を形成する画像形成部３０と、画像が形成された用紙Ｓを排出する排紙部９０と、これらの各部の動作を制御する制御装置１００とを備えている。尚、以下の説明において、方向は、カラープリンタ使用時のユーザを基準にした方向で説明する。すなわち、図１において、紙面に向かって左側を「前側」、紙面に向かって右側を「後側」とする。また、用紙Ｓの搬送方向に直交する方向を主走査方向（図１の紙面直交方向、プリンタの左右方向）とし、主走査方向に直交する方向、すなわち用紙Ｓの搬送方向を副走査方向（図１の左右方向、プリンタの前後方向）とする。
【００１２】
本体筐体１０の上部には本体筐体１０に対し相対的に開閉自在なアッパーカバー１２が、後側に設けられたヒンジ１２Ａを支点として上下に回動自在に設けられている。アッパーカバー１２の上面は、本体筐体１０から排出された用紙Ｓを蓄積する排紙トレイ１３となっており、下方には露光装置であるＬＥＤユニット４０が設けられている。
【００１３】
また、本体筐体１０内には、各プロセスカートリッジ５０を着脱自在に収容するカートリッジドロア１５が設けられている。カートリッジドロア１５は、左右に一対設けられた金属製のサイドプレート１５Ａ（片側のみ図示）と、一対のサイドプレート１５Ａを連結するクロスメンバー１５Ｂが前後に一対設けられている。サイドプレート１５Ａは、ＬＥＤユニット４０が有する露光ヘッドとしてのＬＥＤアレイ４１の左右方向の両側に配置され、感光体ドラム５３を直接的または間接的に支持し、位置決めする部材である。ＬＥＤアレイ４１の発光は、制御装置１００及び発光制御装置１１０により制御される。尚、ＬＥＤアレイ４１が本発明の発光アレイの一例である。
【００１４】
給紙部２０は、本体筐体１０内の下部に設けられ、本体筐体１０に着脱自在に装着される給紙トレイ２１と、給紙トレイ２１から用紙Ｓを画像形成部３０へ搬送する用紙供給機構２２を主に備えている。用紙供給機構２２は、給紙トレイ２１の前側に設けられ、給紙ローラ２３、分離ローラ２４を主に備えている。
【００１５】
このように構成される給紙部２０では、給紙トレイ２１内の用紙Ｓが、一枚ずつ分離されて上方へ送られ、搬送経路２８を通って後ろ向きに方向転換され、画像形成部３０に供給される。
【００１６】
画像形成部３０は４つのＬＥＤユニット４０と、４つのプロセスカートリッジ５０と、転写ユニット７０と、定着ユニット８０とを備える。４つのＬＥＤユニット４０、４つのプロセスカートリッジ５０はブラック、イエロー、マゼンタ、シアンの４色に対応する。
【００１７】
プロセスカートリッジ５０は、アッパーカバー１２と給紙部２０との間で前後方向に並んで配置され、図２に示すように、ドラムユニット５１と、ドラムユニット５１に対して着脱自在に装着される現像ユニット６１とを備えている。サイドプレート１５Ａは、プロセスカートリッジ５０を支持しており、プロセスカートリッジ５０は、感光体ドラム５３を支持している。尚、各プロセスカートリッジ５０は、現像ユニット６１のトナー収容室６６に収容されるトナーの色が相違するのみであり、構成は同一である。
【００１８】
ドラムユニット５１は、ドラムフレーム５２と、ドラムフレーム５２に回転可能に支持される感光体の一例としての感光体ドラム５３と、スコロトロン型帯電器５４とを主に備えている。
【００１９】
現像ユニット６１は、現像フレーム６２と、現像フレーム６２に回転可能に支持される現像ローラ６３および供給ローラ６４とを備え、トナーを収容するトナー収容室６６を有している。プロセスカートリッジ５０は、現像ユニット６１がドラムユニット５１に装着され、これにより、現像フレーム６２とドラムフレーム５２との間に上方から感光体ドラム５３を臨める露光穴５５が形成される。この露光穴５５には下端にＬＥＤアレイ４１を保持したＬＥＤユニット４０が挿入される。ＬＥＤアレイ４１の詳細については後述する。
【００２０】
転写ユニット７０は、図１に示すように、給紙部２０と各プロセスカートリッジ５０との間に設けられ、駆動ローラ７１、従動ローラ７２、搬送ベルト７３および転写ローラ７４を主に備えている。
【００２１】
駆動ローラ７１および従動ローラ７２は、前後方向に離間して平行に配置され、その間に搬送ベルト７３が張設されている。搬送ベルト７３は、その外側の面が各感光体ドラム５３に接している。また、搬送ベルト７３の内側には、各感光体ドラム５３との間で搬送ベルト７３を挟持する転写ローラ７４が、各感光体ドラム５３に対向して４つ配置されている。この転写ローラ７４には、転写時に定電流制御によって転写バイアスが印加される。
【００２２】
定着ユニット８０は、各プロセスカートリッジ５０および転写ユニット７０の奥側に配置され、加熱ローラ８１と、加熱ローラ８１と対向配置され加熱ローラ８１を押圧する加圧ローラ８２とを備えている。
【００２３】
このように構成される画像形成部３０では、まず、各感光体ドラム５３の表面（感光面５３Ａ）が、スコロトロン型帯電器５４により一様に帯電された後、各ＬＥＤアレイ４１から照射されるＬＥＤ光により露光される。これにより、露光された部分の電位が下がって、各感光体ドラム５３上に画像データに基づく静電潜像が形成される（帯電プロセス、露光プロセス）。
【００２４】
また、トナー収容室６６内のトナーが、供給ローラ６４の回転により現像ローラ６３に供給され担持される。現像ローラ６３上に担持されたトナーは、現像ローラ６３が感光体ドラム５３に対向して接触するときに、感光体ドラム５３上に形成された静電潜像に供給される。これにより、感光体ドラム５３上でトナーが選択的に担持されて静電潜像が可視像化され、反転現像によりトナー像が形成される（現像プロセス）。
【００２５】
次に、搬送ベルト７３上に供給された用紙Ｓが各感光体ドラム５３と搬送ベルト７３の内側に配置される各転写ローラ７４との間を通過することで、各感光体ドラム５３上に形成されたトナー像が用紙Ｓ上に転写される（転写プロセス）。そして、用紙Ｓが加熱ローラ８１と加圧ローラ８２との間を通過することで、用紙Ｓ上に転写されたトナー像が熱定着される（定着プロセス）。
【００２６】
排紙部９０は、定着ユニット８０の出口から上方に向かって延び、手前側に反転するように形成された排紙側搬送経路９１と、用紙Ｓを搬送する複数対の搬送ローラ９２を主に備えている。トナー像が転写され、熱定着された用紙Ｓは、搬送ローラ９２によって排紙側搬送経路９１を搬送され、本体筐体１０の外部に排出されて排紙トレイ１３に蓄積される。
【００２７】
２．ＬＥＤアレイの構成
ＬＥＤアレイ４１は、印字データに基づいて感光体ドラム５３を露光する機能を果たすものであり、用紙の送り方向（図３の上下方向）に直交する主走査方向（図３の左右方向）に複数の発光素子Ｐを配置した構成となっている。
【００２８】
ＬＥＤアレイ４１は、複数のＬＥＤアレイチップ（本発明の「発光チップ」の一例）ＣＨから分割構成されている。各ＬＥＤアレイチップＣＨは半導体プロセスにより、半導体基板上に発光素子Ｐたる発光ダイオードを一列状に複数形成（一例として２５６個形成）したものであり、この実施形態では、回路基板ＣＢ上に２０個のＬＥＤアレイチップＣＨを副走査方向に位置をずらして千鳥状に配置している。このように、ＬＥＤアレイチップＣＨを千鳥配置しつつ各チップ端を主走査方向に重ねることで、チップ同士の継目における発光素子間の距離Ｄｘを基準ピッチＤｐに一致させている。尚、図３はＬＥＤアレイ４１の模式図であり、各ＬＥＤアレイチップＣＨに形成された発光素子Ｐの個数を実際より少なく示してある。
【００２９】
また、各ＬＥＤアレイ４１には不揮発性の記憶手段としてＥＥＰＲＯＭ４３が設けられている。このＥＥＰＲＯＭ４３には、ＬＥＤアレイ４１の光量制御に必要なデータ、例えば、各ＬＥＤアレイチップＣＨの継目における発光素子Ｐａ、Ｐｂ間の素子間距離Ｄｘのデータや、素子間距離Ｄｘの基準ピッチＤｐのデータなどが記憶されている。
【００３０】
３．制御装置１００と発光制御装置１１０の説明
制御装置１００はカラープリンタ１の全体を制御するものであり、ＣＰＵなどから構成される演算制御部１００Ａと、ＲＯＭ１００ＢとＲＡＭ１００ＣとからなるメモリＭとを含む構成となっている。発光制御装置１１０は、図４に示すようにＡＳＩＣ１２０を備え、制御装置１００から指令によって、ＬＥＤアレイ４１の各発光素子Ｐを発光制御（光量調整）するものである。尚、演算制御部１００Ａが本発明の「制御部」の一例である。
【００３１】
発光制御装置１１０には、４組のＬＥＤアレイ４１が共通接続されており、発光制御装置１１０のＡＳＩＣ１２０が４組のＬＥＤアレイ４１を一括して発光制御する構成となっている。また、制御装置１００のＲＯＭ１００Ｃには、画像の階調を表すディザパターンなどのデータが格納される構成となっている。ディザパターンＺとは、主走査方向に対して傾斜する斜め線の繰り返しパターン（ドットパターン）であり、画像に階調をつける時に使用されるものである。
【００３２】
４．ＬＥＤアレイ４１の発光制御
ＬＥＤアレイ上の各発光素子Ｐは主走査方向において一定の基準ピッチＤｐ、具体的には、画像の解像度が６００ｄｐｉである場合は、４２μｍのピッチで並んでいる。そして、各ＬＥＤアレイチップＣＨの継目についても、発光素子間の素子間距離Ｄｘが基準ピッチＤｐになるように、ＬＥＤアレイチップＣＨを配置している。
【００３３】
しかし、回路基板ＣＢ上に各ＬＥＤアレイチップＣＨをマウントする際に搭載位置が正規位置からずれることがあり、ＬＥＤアレイチップ同士の継目では、発光素子間の素子間距離Ｄｘが基準ピッチＤｐに対して増減する場合がある。このように、発光素子間の素子間距離Ｄｘが基準ピッチＤｐに対して増減すると、図５に示すように、主走査方向に対して傾斜した斜線の繰り返しであるディザパターンＺを使用して画像を印字したときに、画像に筋が発生し易くなる（図５中の枠内）。すなわち、発光素子Ｐａ、Ｐｂ間の素子間距離Ｄｘが基準ピッチＤｐより大きい場合、継目部分では光の密度が下がる。そのため、ディザパターンＺを構成する画素のうち、ＬＥＤアレイチップＣＨの継目に対応する画素では、露光が薄くなってトナーが載り難くなる。そのため、ＬＥＤアレイチップＣＨの継目に対応する画素（一例として、図５に示す画素Ｇ１）では、周辺画素（一例として、図５に示す画素Ｇ２）に対して濃度が下がって、白筋が発生し易くなる。
【００３４】
上記のように、発光素子Ｐａ、Ｐｂ間の素子間距離Ｄｘが基準ピッチＤｐより大きい場合、その部分だけ光量が低くなって白筋が発生し易くなる。そこで、本実施形態では、各ＬＥＤアレイチップＣＨの継目における、発光素子Ｐａ、Ｐｂ間の素子間距離Ｄｘが基準ピッチＤｐより大きい場合、継目に位置する発光素子Ｐの発光時間Ｔを、発光制御装置１１０にて調整して光量の不足を補うことにより、白筋の発生を抑えるようにしている。
【００３５】
また、ＬＥＤアレイチップＣＨの継目に対応する画素Ｇ１の周辺画素Ｇ２に対する濃度差の発生し易さを示すパラメータには、素子間距離Ｄｘの他にディザパターンＺの主走査方向に対する角度θがある。濃度差の発生し易さにディザパターンＺの角度θが関係している理由は、ディザパターンＺの角度θが大きい場合（図６参照）には、角度θが小さい場合（図７参照）に比べて、濃度の低い領域が副走査方向に拡がるので（図６、図７中のＡ部参照）、濃度差が発生し易くなるからである。そして、角度θが大きい場合は、小さい場合に比べて、濃度差の拡がりの大きさを補うべく、光量の補正値を大きくするか、光量を補正する素子数を増やす必要がある。
【００３６】
従って、角度差の大きい複数のディザパターンを、共通の補正値を使用して光量補正しようとすると、どちらか一方しか、満足な補正を行うことが出来ないので、結局、補正値を分けなければならない。そのため、本実施形態では、以下説明するように、同色に使用されるディザパターンＺの組み合わせを、角度差が小さくなるように決定している。
【００３７】
尚、ディザパターンＺの角度差Δは以下の方法で求めるものとする。すなわち、図８Ａに示すように、ディザパターンＺａ、ＺｂともにＸ軸を基準とした角度９０°以下である場合、角度差Δは、ディザパターンＺａの角度θａとディザパターンＺｂの角度θｂの差とする。一方、図８Ｂに示すように、一方の角度が９０°を超えている場合、そのディザパターンＺｂを、Ｙ軸を対象に折り返した線Ｚｃの角度θｃとディザパターンＺａの角度θａの角度の差を角度差Δとする。
【００３８】
５．画質モードとディザパターンの組み合わせ例
このプリンタ１では、画質モードにノーマル、ファイン、スーパーファインの３種類（ノーマル→ファイン→スーパーファインの順に画質が高い）を設定している。ディザパターンＺは画質が高くなるほど、線間距離を短くする必要がある。ディザパターンは、濃度により決まるドット数の条件や線間距離の条件を満たすように決定する必要があり、それら条件を満たすように、ディザパターンの角度が決定される。尚、本実施形態の画質モードが、本発明の「画像形成モード」に対応する。
【００３９】
例えば、図９は、「カラーはブラック」で、「濃度が５０％」の場合について、各画質モードについて、条件を満たすディザパターンＺを一覧にしてまとめたものである。図９に示すように、ファインモードでは、角度が４５°のディザパターンＺ１が条件を満たす。また、ノーマルモードでは、角度が２３°と６７°の２パターンのディザパターンＺ２、Ｚ３が条件を満たし、スーパーファインモードでは、角度が１２°と７８°の２パターンのディザパターンＺ４、Ｚ５が条件を満たす。
【００４０】
この場合、ディザパターンの組み合わせとして、以下の４つの組み合わせを使用候補とすることが考えられる。
（ａ）１番目のディザパターンＺ１（ファイン）、３番目のディザパターンＺ３（ノーマル）、５番目のディザパターンＺ５（スーパーファイン）の組み合わせ
（ｂ）１番目のディザパターンＺ１（ファイン）、３番目のディザパターンＺ３（ノーマル）、４番目のディザパターンＺ４（スーパーファイン）を組み合わせ
（ｃ）１番目のディザパターンＺ１（ファイン）、２番目のディザパターンＺ２（ノーマル）、５番目のディザパターンＺ５（スーパーファイン）を組み合わせ
（ｄ）１番目のディザパターンＺ１（ファイン）、２番目のディザパターンＺ２（ノーマル）、４番目のディザパターンＺ４（スーパーファイン）を組み合わせ
【００４１】
上記（ａ）の組み合わせを選択すると、１番目のディザパターンＺ１と３番目のディザパターンＺ３の角度差は２２°、３番目のディザパターンＺ３と５番目のディザパターンＺ５の角度差は１１°、５番目のディザパターンＺ５と１番目のディザパターンＺ１の角度差は３３°となる。この場合、ディザパターン間の最大角度差は３３°になる。
【００４２】
一方（ｂ）の組み合わせを選択すると、１番目のディザパターンＺ１と３番目のディザパターンＺ３の角度差は２２°、４番目のディザパターンＺ４と１番目のディザパターンＺ１の角度差は３３°、３番目のディザパターンＺ３と４番目のディザパターンＺ４の角度差は５５°になる。この場合、ディザパターン間の最大角度差は５５°になる。
【００４３】
また（ｃ）の組み合わせとして選択すると、１番目のディザパターンＺ１と２番目のディザパターンＺ２の角度差は２２°、５番目のディザパターンＺ５と１番目のディザパターンＺ１の角度差は３３°、２番目のディザパターンＺ２と５番目のディザパターンＺ５の角度差は５５°になる。この場合、ディザパターン間の最大角度差は５５°になる。
【００４４】
また（ｄ）の組み合わせとして選択すると、１番目のディザパターンＺ１と２番目のディザパターンＺ２の角度差は２２°、４番目のディザパターンＺ４と１番目のディザパターンＺ１の角度差は３３°、２番目の２３°のディザパターンＺ２と４番目の１２°のディザパターンＺ４の角度差は１１°になる。この場合、ディザパターン間の最大角度差は３３°になる。
【００４５】
従って、上記した（ａ）〜（ｄ）の組み合わせから、（ａ）の組み合わせか、（ｄ）の組み合わせを選択すると、（ｂ）の組み合わせや（ｃ）の組み合わせを選択した場合に比べて、使用するディザパターン間の最大角度差が小さくなる。
【００４６】
最大角度差が小さければ、ＬＥＤアレイチップＣＨの継目に対応する画素Ｇ１の周辺画素Ｇ２に対する濃度差が、各ディザパターンで概ね同じように発生し、濃度差の大きさに差が生じない。そのため、ファインモード、ノーマルモード、スーパーファインモードに使用される３パターンのディザパターンＺを、共通の補正値を使用して光量補正を行った時に、各ディザパターン共通して濃度差が小さくすることが可能となり、全てのディザパターンＺについて、ＬＥＤアレイチップＣＨの継目に対応する画素Ｇ１の周辺画素Ｇ２に対する濃度差の不均一を解消することが出来る。
【００４７】
別の言い方をすれば、最大角度差が所定値以上の場合には、３つのディザパターンを共通の補正値では補正しきれないので、その場合、一部のディザパターンは補正値を専用に設定する必要がある。例えば、角度差の許容値が４５°未満の場合、（ｂ）の組み合わせや、（ｃ）の組み合わせを選ぶと、角度差が４５°を超えないようにするには、３つのディザパターンのうち、１つのディザパターンは専用に補正値を設定する必要がある。しかし、補正値を多く持つことは、それだけ、ＲＡＭ１００Ｂを消費することになる。
【００４８】
従って、プリンタ１０を設計する段階で、同一色に使用するディザパターンＺの組み合わせを、ディザパターンＺの角度差が小さくなるように予め決定しておくことにより、共通の補正値を使用することが可能となり、ＲＡＭ１００Ｂに記憶するデータ数を小さくすることが出来る。上記により、本発明の「前記発光チップ（ここではＬＥＤアレイチップＣＨ）の端部に対応する画素Ｇ１の周辺画素Ｇ２に対する濃度差の発生しや易さを表すパラメータ（ここでは角度）の値の差が小さくなるように、同一色に使用される２つのディザパターンのパラメータの値を設定（ここでは角度の組み合わせを決定）する」が実現されている。
【００４９】
尚、ディザパターンＺは、濃度に応じて設定する必要があるため、上記のようなディザパターンＺの組み合わせを、濃度ごとに設定する必要がある。また、ディザパターンＺはブラックの他に、イエロー、マゼンタ、シアンの各色についてそれぞれ異なるパターンを用意する必要があるので、ブラック以外の各色のディザパターンＺについても、ディザパターン間の角度差が小さくなるようにディザパターンＺの組み合わせを、設計段階で決定しなければならない。そして、設計段階で決定した各ディザパターンＺのデータは、制御装置１００のＲＯＭ１００Ｃに対して予め記憶されるようになっている。
【００５０】
次に、印刷時にプリンタ１で実行される発光時間Ｔの補正手順を説明する。尚、以下の説明においてノーマル用はディザパターンＺ１を、ファイン用はディザパターンＺ３を、スーパーファイン用はディザパターンＺ５を使用するものとする。
【００５１】
まず、ＰＣ等の情報端末から印刷データを受信すると、制御装置１００の演算制御部１００Ａは、画像形成部３０により各感光体ドラム５３を帯電させる帯電プロセスを実行する。また、制御装置１００の演算制御部１００Ａは、受信した印刷データが通常印刷（ディザパターンＺを使用しない印刷）か、階調印刷（ディザパターンＺを使用する印刷）かを判断する。
【００５２】
通常印刷（ディザパターンＺを使用しない印刷）の場合、演算制御部１００Ａは、発光制御装置１１０を介して露光プロセスを実行する。すなわち、発光時間Ｔに初期値「Ｔｏ」を適用し、印刷データに従って、各ＬＥＤアレイ４１上の各発光素子Ｐを、発光制御装置１１０を介して点灯して各感光体ドラム５３に光を照射する。これにて、各感光体ドラム５３が露光される。その後、制御装置１００の制御により、画像形成部３０にて現像プロセス、転写プロセス、定着プロセスが順に実行され、用紙に印刷データが印刷される。
【００５３】
一方、階調印刷（ディザパターンＺを使用する印刷）の場合、制御装置１００は、各ＬＥＤアレイ４１のＥＥＰＲＯＭ４３から各ＬＥＤアレイチップＣＨの継目における発光素子Ｐａ、Ｐｂ間の素子間距離Ｄｘのデータを読み出す。また、ＲＯＭ１００ＣからディザパターンＺの角度のデータを読み出す（Ｓ１０）。
【００５４】
そして、制御装置１００の演算制御部１００Ａは、各ディザパターンＺについて発光時間Ｔの補正値Ｘを、下記（１）式に基づいて算出する算出処理を、各ＬＥＤアレイ４１について、各ＬＥＤアレイチップＣＨの継目ごとに行う（Ｓ２０〜Ｓ４０）。具体的には、ディザパターンＺ１の場合、下記（１）式に「ΔＤ」のデータ、「θ１」のデータを代入して、発光時間Ｔの補正値Ｘ１を算出する（第１算出処理：Ｓ２０）。ディザパターンＺ３の場合、下記（１）式に「ΔＤ」のデータ、「θ３」のデータを代入して、発光時間の補正値Ｘ３を算出する（第２算出処理：Ｓ３０）。ディザパターンＺ５の場合、下記（１）式に「ΔＤ」のデータ、「θ５」のデータを代入して、発光時間の補正値Ｘ５を算出する（第３算出処理：Ｓ４０）。尚、「θ１」が本発明の「第１値」の一例、「補正値Ｘ１」が本発明の「第１補正値」の一例であり、また「θ３」が本発明の「第２値」の一例、「補正値Ｘ３」が本発明の「第２補正値」の一例である。
【００５５】
Ｘ＝Ｆ（ΔＤ、θ）・・・・・・・・・・・（１）式
ΔＤ＝｜Ｄｘ−Ｄｐ｜・・・・・・・・・・（２）式
「Ｘ」は発光時間の補正値である。「Ｆ」は、補正値Ｘを決定する関数である。
「θ」は使用されるディザパターンＺの角度θである。
関数Ｆは「ΔＤ」が大きい程、値を大きくするように設定され、また「θ」が大きい程、値を大きくするように設定されている。
【００５６】
その後、制御装置１００の演算制御部１００Ａは、各ディザパターンＺ１、Ｚ３、Ｚ５の発光時間の補正値Ｘ１、Ｘ３、Ｘ５から、共通補正値Ｘｖを算出する（共通補正値算出処理：Ｓ５０）。共通補正値Ｘｖとは、各ＬＥＤアレイチップＣＨの継目における発光素子Ｐａ、Ｐｂの発光時間を補正する際に、各ディザパターンＺ１、Ｚ３、Ｚ５で共通使用される補正値であり、各ＬＥＤアレイ４１について、各ＬＥＤアレイチップＣＨの継目ごとに算出される。この実施形態では、以下の（３）式に示すように、共通補正値ＸｖをＸ１、Ｘ３、Ｘ５の平均値としている。
【００５７】
Ｘｖ＝（Ｘ１＋Ｘ３＋Ｘ５）／３・・・・・・・（３）式
【００５８】
尚、共通補正値Ｘｖは、３つの補正値Ｘ１〜Ｘ３の最小値〜最大値の範囲内で決定すればよく平均値の他に、３つの補正値Ｘ１〜Ｘ３のうち、大きさが２番目の補正値（中間補正値）を使用することが可能である。
【００５９】
そして、制御装置１００の演算制御部１００Ａは、各ＬＥＤアレイ４１について、各ＬＥＤアレイチップＣＨの継目ごとに共通補正値Ｘｖを算出すると、その値をＲＡＭ１００Ｂに対して格納する格納処理を行う（Ｓ６０）。その後、制御装置１１０の演算制御部１００Ａは、所定のタイミングで露光プロセスを実行する。具体的には、ＲＡＭ１００Ｂから記憶した共通補正値Ｘｖを読み出す。そして、読み出した共通補正値Ｘｖを（４）式に代入して発光素子Ｐａ、Ｐｂの発光時間Ｔを決定する。
【００６０】
Ｔ＝Ｔｏ±Ｘｖ・・・・・・・・・（４）式
尚、（４）式の符号「＋」は素子間距離Ｄｘが基準ピッチＤｐより大きい場合、符号「−」は素子間距離Ｄｘが基準ピッチＤｐより小さい場合である。
【００６１】
そして、制御装置１００の演算制御部１００Ａは、発光制御装置１１０を介して露光プロセスを実行する。すなわち、印刷データに従って、各ＬＥＤアレイ４１上の各発光素子Ｐを、発光制御装置１１０を介して点灯して各感光体ドラム５３に光を照射する。
【００６２】
このとき、制御装置１００の演算制御部１００Ａは、各ＬＥＤアレイ４１について、各ＬＥＤアレイチップＣＨの継目における発光素子Ｐａ、Ｐｂの発光時間をノーマル、ファイン、スーパーファインのディザパターンＺ１、Ｚ３、Ｚ５共通して、共通補正値Ｘｖにより補正する（補正処理：Ｓ７０）。すなわち、画質モードとしてノーマル、ファイン、スーパーファインのどのモードが選択されていても、各ＬＥＤアレイチップＣＨの継目における発光素子Ｐａ、Ｐｂを、（４）式に基づいて決定した発光時間Ｔで点灯させる。
【００６３】
これにより、ディザパターンＺを構成する画素のうち、各ＬＥＤアレイチップＣＨの継目部分に対応する画素の濃度を、３モード共通して、周辺画素の濃度に近づけることが出来る。その後、制御装置１００の制御により、画像形成部３０にて、現像プロセス、転写プロセス、定着プロセスが順に実行され、用紙に印刷データが印刷される。
【００６４】
以上説明したように、本実施形態では、素子間距離Ｄｘに加え、ディザパターンの角度θを考慮して発光時間Ｔを補正するので、角度θを考慮しない場合に比べて、ディザパターンＺを構成する画素のうち、各ＬＥＤアレイチップＣＨの継目部分に対応する画素Ｇ１の濃度を、周辺画素Ｇ２の濃度に近づけることが出来る。そのため、白筋や色筋を目立たなくすることができ、画品質が高まる。
【００６５】
また、本実施形態では、同一色に使用される３種のディザパターンＺ１、ディザパターンＺ３、ディザパターンＺ５について、ＬＥＤアレイチップＣＨの継目における発光素子Ｐａ、Ｐｂの発光時間を共通の補正値Ｘｖにより補正する。このようにすれば、同一色として用意されたディザパターン毎に異なる補正値を使用して光量補正を行う場合に比べて、ＲＡＭ１００Ｂに記憶する補正値を減らすことが出来る。そのため、ＲＡＭ１００Ｂの消費を抑制することが出来る。また、同一色として用意されたディザパターン毎に、補正値Ｘを変更する必要がないため、動作速度を高速にできる。
【００６６】
また特に、このものではプリンタ１０を設計する段階で、同一色に使用するディザディザパターンＺの組み合わせを、ディザパターンＺの角度差が小さくなるように決定してあるので、共通の補正値Ｘｖを使用して光量補正を行った時に、各ディザパターンとも同じように濃度差の不均一を解消することが出来る。
【００６７】
＜実施形態２＞
次に、本発明の実施形態２を図１１ないし図１４によって説明する。
実施形態１では、ＬＥＤアレイチップＣＨの継目に対応する画素Ｇ１の周辺画素Ｇ２に対する濃度差の発生し易さを示すパラメータの一例に、ディザパターンＺの角度「θ」を例示し、設計段階で、同一色に使用するディザディザパターンＺの組み合わせを、ディザパターンＺの角度差が小さくなるように決定する例を説明した。
【００６８】
実施形態２では、ＬＥＤアレイチップＣＨの継目に対応する画素Ｇ１の周辺画素Ｇ２に対する濃度差の発生し易さを示すパラメータの一例に、ディザパターン間に存在する空白部Ｎの素子間距離Ｄｘの変化に対する面積変動比「Ｓｒ」を例示するものである。
【００６９】
空白部「Ｎ」とは、ディザパターン間のスペースで印字されない非印字領域のことである。別の言い方をすれば、ディザパターンＺを構成するドットＵ間のスペースである。また、空白部Ｎの素子間距離Ｄｘの変化に対する面積変動比Ｓｒは以下の（５）式にて表される。
【００７０】
Ｓｒ＝Ｓｘ／Ｓｐ・・・・・・・・・・・・（５）式
「Ｓｘ」は素子間距離Ｄｘである場合の空白部Ｎの面積であり、「Ｓｐ」は、Ｄｘ＝Ｄｐである場合の、空白部Ｎの面積（基準値）である。
【００７１】
面積変動比Ｓｒと濃度差の発生し易さの関係について、具体例を挙げて詳しく説明する。例えば、角度一定の条件で、線間距離Ｌの短いディザパターンＺ１１と線間距離Ｌの長いディザパターンＺ１２を比較すると、空白部Ｎの面積（基準値）Ｓｐは、線間距離Ｌの短い図１１のディザパターンＺ１１の方が、線間距離Ｌの長い図１２のディザパターンＺ１２より小さくなる。ここでは、一例として、線間距離Ｌの短いディザパターンＺ１１の空白部Ｎの面積（基準値）Ｓｐを「２」とし、線間距離Ｌの長いディザパターンＺ１２の空白部Ｎの面積（基準値）Ｓｐを「３」とする。
【００７２】
尚、図１１、図１２に示すように、ディザパターンＺを形成するドットＵが、主走査方向について連続する２ドット分を１単位として配列されている場合、空白部「Ｎ」は、２ドットを１単位として繰り返されるので、図１１〜図１２では、空白部Ｎの横幅（主走査方向の幅）を２ドット単位で区切っている。
【００７３】
そして、誤差量「ΔＤ」が同じであれば、同じドット数分だけ非印字領域（図１１、図１２にてハッチングで示す）が拡大するので、ディザパターンＺ１１側とＺ１２側とで、空白部Ｎの面積の増加分は同じになる。ここでは、空白部Ｎの面積の増加分を「０．２（１ドット分）」とする。
【００７４】
この場合、線間距離Ｌの短いディザパターンＺ１１の継目部分における空白部Ｎの面積Ｓｘは、「２」＋「０．２」で「２．２」になる。よって、ディザパターンＺ１１側の面積変動比「Ｓｒ」は「２．２」／「２．０」で「１１０」％になる。
【００７５】
一方、線間距離Ｌの長いディザパターンＺ１２の空白部Ｎの継目部分における空白部Ｎの面積Ｓｘは、「３」＋「０．２」で「３．２」になる。よって、ディザパターンＺ１２側の面積変動比「Ｓｒ」は、「３．２」／「３．０」で「１０７」％になる。
【００７６】
このように、線間距離Ｌの短いディザパターンＺ１１は、線間距離Ｌの長いディザパターンＺ１２に比べて、誤差量「ΔＤ」に対する継目部分における空白部Ｎの面積変動比「Ｓｒ」が大きくなる。面積変動比「Ｓｒ」が大きいということは、誤差量「ΔＤ」に対する空白部Ｎの拡張率が大きいこと、すなわち露光が薄くなって画素の濃度が下がり易いことを意味している。
【００７７】
次に、ディザパターンの角度θが異なる場合について図１３〜図１４を参照して説明を行う。線間距離Ｌが同じであれば、ディザパターンＺの角度θに関係なく、空白部Ｎの面積（基準値）Ｓｐは概ね一致する。ここでは、一例として、角度θの小さいディザパターンＺ１３、角度θの大きいディザパターンＺ１４とも、空白部Ｎの面積（基準値）Ｓｐは「２」とする。
【００７８】
そして、誤差量「ΔＤ」が同じであれば、非印字領域は角度θの大きいディザパターン方が、角度θの小さいディザパターンよりも拡大する。それは、角度θが大きい程、非印字領域を作るドットの数が増加するからである。ここでは、角度θの小さいディザパターンＺ３の空白部Ｎの面積の増加分を「０．２（１ドット分）」とし、角度θの大きいディザパターンＺ４の空白部Ｎの面積の増加分を「０．４（２ドット分）」とする。
【００７９】
この場合、図１３に示す角度θの小さいディザパターンＺ１３の継目部分における空白部Ｎの面積Ｓｘは、「２」＋「０．２」で「２．２」になる。よって、角度の小さいディザパターンＺ３側の面積変動比「Ｓｒ」は「２．２」／「２．０」で「１１０」％になる。
【００８０】
一方、図１４に示す角度θの大きいディザパターンＺ１４の空白部Ｎの継目部分における空白部Ｎの面積Ｓｘは、「２」＋「０．４」で「２．４」になる。よって、ディザパターンＺ４の面積変動比「Ｓｒ」は、「２．４」／「２．０」で「１２０」％になる。
【００８１】
このように、角度θの大きいディザパターンＺ１４は、角度θの小さいディザパターンＺ１３に比べて、誤差量「ΔＤ」に対する継目部分における空白部Ｎの面積変動比「Ｓｒ」が大きくなる。面積変動比「Ｓｒ」が大きいということは、誤差量「ΔＤ」に対する空白部Ｎの拡張率が大きいこと、すなわち露光が薄くなって画素の濃度が下がり易いことを意味している。
【００８２】
以上説明したように、面積変動比「Ｓｒ」はＬＥＤアレイチップＣＨの継目に対応する画素Ｇ１の周辺画素Ｇ２に対する濃度差の発生し易さを示している。実施形態２では、実施形態１で図９を参照して説明を行ったようにファインモード、ノーマルモード、スーパーファインモードに使用される３パターンのディザパターンＺの組み合わせを、面積変動比「Ｓｒ」の差が小さくなるように設定する。すなわち、使用候補の各ディザパターンについて、パターンの角度θ、線間距離Ｌやドットの配列、大きさ等のデータを基にして、面積変動比「Ｓｒ」をそれぞれ算出し、算出した面積変動比「Ｓｒ」の差が小さくなるように、ファインモード、ノーマルモード、スーパーファインモードに使用される３パターンのディザパターンＺの組み合わせを設定する。
【００８３】
このようにすることで、実施形態１と同様に、ファインモード、ノーマルモード、スーパーファインモードに使用される３パターンのディザパターンＺを、共通の補正値を使用して光量補正を行った時に、各ディザパターンとも同じように濃度差の不均一を解消することが出来る。
【００８４】
尚、先に説明したように、面積変動比「Ｓｒ」はディザパターンＺの角度θが大きい程大きくなり、また、線間距離「Ｌ」が大きい程小さくなる傾向を示す。そのため、面積変動比Ｓｒの差が小さくなるようにディザパターンの組み合わせを決定することは、結局、線間距離Ｌが比較的広いノーマルモードは、角度の大きなディザパターンを選択し、線間距離Ｌが中程度のファインモードは、角度が中程度のディザパターンを選択し、また線間距離Ｌが比較的狭いスーパーファインモードは角度θの小さなディザパターンを選択することと、実質的に等価である。
【００８５】
そして、設計段階で決定した３種類のディザパターンＺの面積変動比「Ｓｒ」はＲＡＭ１００Ｂに対して予め記憶され、印字に伴って、ＬＥＤアレイチップＣＨの継目における発光素子Ｐａ、Ｐｂの光量補正を行う時に活用されるように構成されている。
【００８６】
具体的には、実施形態２では、ＬＥＤアレイチップＣＨの継目に対応する画素Ｇ１の周辺画素Ｇ２に対する濃度差の発生し易さを示すパラメータに、面積変動比Ｓｒを適用している。そのため、ファインモード用のディザパターンＺ、ノーマルモード用のディザパターンＺ、スーパーファインモード用のディザパターンＺについて、発光素子Ｐａ、Ｐｂの光量の補正値Ｘを、以下の（６）式に基づいてそれぞれ算出する。
【００８７】
Ｘ＝Ｆ（ΔＤ、Ｓｒ）・・・・・・・・・・・（６）式
【００８８】
そして、求めた各ディザパターンＺの補正値Ｘから、実施形態１と同様にそれらの共通補正値Ｘｖを算出し、算出した共通補正値Ｘｖを使用して、各ディザパターンについてＬＥＤアレイチップＣＨの継目における発光素子Ｐａ、Ｐｂの発光時間を補正する。
【００８９】
このようにすれば、実施形態１と同様、用意されたディザパターン毎に異なる補正値を使用して光量補正を行う場合に比べて、ＲＡＭ１００Ｂに記憶する補正値を減らすことが出来る。そのため、ＲＡＭ１００Ｂの消費を抑制することが出来る。また、異なるディザパターンを使用する毎に、補正値を変更する必要がないため、動作速度を高速にできる。
【００９０】
＜他の実施形態＞
本発明は上記記述及び図面によって説明した実施形態に限定されるものではなく、例えば次のような実施形態も本発明の技術的範囲に含まれる。
【００９１】
（１）実施形態１、２では、発光アレイの一例として、発光素子Ｐに発光ダイオードを用いたＬＥＤアレイを例示したが、発光素子に有機ＥＬ（エレクトロルミネセンス）素子を用いた有機ＥＬアレイを用いることも可能である。
【００９２】
（２）実施形態１、２では、ＬＥＤアレイチップＣＨのチップ端に位置する発光素子Ｐａ、Ｐｂの光量を補正した例を挙げた。光量の補正対象は、発光素子Ｐａ、Ｐｂだけに限定されるものではなく、チップ端に位置する複数の発光素子を対象としてもよい。例えば、発光素子Ｐａ、Ｐｂと、それに隣接する２つの発光素子を含む、合計４つの発光素子としてもよい。
【００９３】
（３）上記実施形態では、制御装置１００の演算制御部１００Ａを、ＣＰＵにより構成する例を示したが、演算制御部１００をＡＳＩＣ等のハード回路により構成してもよく、またＣＰＵとＡＳＩＣ等のハード回路を組み合わせた構成にしてもよい。
【００９４】
（４）上記実施形態では、画像モードに「ファインモード」、「ノーマルモード」、「スーパーファインモード」の３種類のモードを設定した例を説明した。画像モードは例えば、「ファインモード」と「ノーマルモード」など２種類だけにしてもよい。この場合、２種のモード間で線間距離に差があればよく、各色のディザパターンを次のように組み合わせることが出来る。すなわち、「ノーマルモード」の場合、「ブラック」を実施形態１の３種類のモード設定時の「ノーマルモード」に対応するディザパターンとし、「イエロー」を「ファインモード」に対応するディザパターンとし、「マゼンタ」を「ノーマルモード」に対応するディザパターンとし、「シアン」を「ノーマルモード」に対応するディザパターンとする。一方、「ファインモード」の場合、「ブラック」を実施形態１の３種類のモード設定時の「スーパーファインモード」に対応するディザパターンとし「イエロー」を「スーパーファインモード」に対応するディザパターンとし、「マゼンタ」を「ファインモード」に対応するディザパターンとし、「シアン」を「ファインモード」に対応するディザパターンとする。
【符号の説明】
【００９５】
１...プリンタ（本発明の「画像形成装置」の一例）
３０...画像形成部
４０...ＬＥＤユニット
４１...ＬＥＤアレイ（本発明の「発光アレイ」の一例）
５３...感光体ドラム（本発明の「感光体」の一例）
１００...制御装置
１００Ａ...演算制御部（本発明の「制御部」の一例）
１１０...発光制御装置
ＣＨ...ＬＥＤアレイチップ（本発明の「発光チップ」の一例）
Ｍ...メモリ
Ｐ...発光素子
Ｔ...発光時間
Ｘ...補正値
θ...ディザパターンの角度
Ｓｒ...面積変動比
Ｚ...ディザパターン
【図１】
2014028458.tif 000003
【図２】
2014028458.tif 000004
【図３】
2014028458.tif 000005
【図４】
2014028458.tif 000006
【図５】
2014028458.tif 000007
【図６】
2014028458.tif 000008
【図７】
2014028458.tif 000009
【図８Ａ】
2014028458.tif 000010
【図８Ｂ】
2014028458.tif 000011
【図９】
2014028458.tif 000012
【図１０】
2014028458.tif 000013
【図１１】
2014028458.tif 000014
【図１２】
2014028458.tif 000015
【図１３】
2014028458.tif 000016
【図１４】
2014028458.tif 000017